(57)【要約】【課題】診断に係わる変更を容易に行うことができる設備診断装置を提供する。【解決手段】プラント診断装置１０１は、生データ収集定義データに従って、通信ネットワーク１０３を介し、データ収集装置１０５からセンサ１０６で計測して得られる計測データを生データとして収集する。収集した生データからの特徴量の抽出はそれ用に定義された定義データに従って行う。生データ、或いは抽出した特徴量を用いた診断は、それ用に定義された定義データに従って行う。それにより、診断用のプログラムは、生データの収集、特徴量の抽出、及び診断をプログラムとは別に定義されるデータに従って行う。【選択図】図１
2005141550.tif 000002
【特許請求の範囲】
【請求項１】
プラント、或いは生産ライン等に用いられる設備を診断する設備診断装置において、
前記設備の状態を示す計測データを取得する計測データ取得手段と、
前記計測データ取得手段が取得した計測データを用いて前記診断を行う診断手段と、
前記計測データの取得に係わる第１の定義情報、及び前記診断に係わる第２の定義情報を取得する定義情報取得手段と、
前記定義情報取得手段が取得した第１、及び第２の定義情報に従って、前記計測データ取得手段に前記計測データを取得させ、前記診断手段に前記診断を行わせる診断制御手段と、
を具備することを特徴とする設備診断装置。
【請求項２】
前記第２の定義情報として、前記計測データから診断において着目する特徴量を抽出するための特徴量抽出用定義情報、及び該計測データ、或いは該特徴量を用いて診断を行うための診断用定義情報を含む、
ことを特徴とする請求項１記載の設備診断装置。
【請求項３】
プラント、或いは生産ライン等に用いられる設備を診断する設備診断装置に実行させるプログラムであって、
前記設備の状態を示す計測データを取得する計測データ取得機能と、
前記計測データ取得機能により取得した計測データを用いて前記診断を行う診断機能と、
前記計測データの取得に係わる第１の定義情報、及び前記診断に係わる第２の定義情報を取得する定義情報取得機能と、
前記定義情報取得手機能により取得した第１、及び第２の定義情報に従って、前記計測データ取得機能により前記計測データを取得させ、前記診断機能により前記診断を行わせる診断制御機能と、
を実現させるプログラム。
【発明の詳細な説明】
【技術分野】
【０００１】
本発明は、プラント、或いは生産ライン等に用いられる設備を診断する設備診断装置に関する。
【背景技術】
【０００２】
プラントや生産ラインに用いられる設備には、常に適切に動作することが求められる。近年では、より高い効率で運用できるように、その状態を自動的に診断させることが行われている。その診断を行う設備診断装置としては、例えば特許文献１に記載されたものが知られている。
【０００３】
その診断は、設備の状態をセンサ等により検出し、その検出結果（計測データ）を分析することで行われる。診断すべき内容は、その診断の対象となる設備やそれが設置された環境等によって変化する。このことから、その分析は、診断すべき内容に応じて決定される、着目すべき特徴量を検出結果から抽出して行われるのが普通である。
【０００４】
従来の設備診断装置は、計測データの取得やそれを分析しての診断はプログラムの記述に沿って行うようになっていた。このため、診断に係わる変更、つまり取得する計測データ、或いは診断すべき内容の増減などが発生すると、それに合わせてプログラムを変更しなければならなかった。それにより、診断に係わる変更を容易に行えないという問題点があった。
【０００５】
プラントや生産ラインでは設計変更が行われることが多い。それにより、設備、或いはそれを動作させる条件（設備に使用させる工具や加工法の変更等を含む）は変更されることが多い。診断に係わる変更は、そのような変更に併せて行うことも多いのが実情である。このようなことから、設計変更などに柔軟に対応できるようにする意味からも、診断に係わる変更を容易に行えるようにすることは重要であると考えられる。
【特許文献１】特開２００３−５０６１８号公報
【発明の開示】
【発明が解決しようとする課題】
【０００６】
本発明は、診断に係わる変更を容易に行うことができる設備診断装置を提供することを目的とする。
【課題を解決するための手段】
【０００７】
本発明の設備診断装置は、プラント、或いは生産ライン等に用いられる設備を診断することを前提とし、設備の状態を示す計測データを取得する計測データ取得手段と、計測データ取得手段が取得した計測データを用いて診断を行う診断手段と、計測データの取得に係わる第１の定義情報、及び診断に係わる第２の定義情報を取得する定義情報取得手段と、定義情報取得手段が取得した第１、及び第２の定義情報に従って、計測データ取得手段に計測データを取得させ、診断手段に診断を行わせる診断制御手段と、を具備する。
【０００８】
なお、上記第２の定義情報として、計測データから診断において着目する特徴量を抽出するための特徴量抽出用定義情報、及び該計測データ、或いは該特徴量を用いて診断を行うための診断用定義情報を含む、ことが望ましい。
【０００９】
本発明のプログラムは、プラント、或いは生産ライン等に用いられる設備を診断する設備診断装置に実行させることを前提とし、設備の状態を示す計測データを取得する計測データ取得機能と、計測データ取得機能により取得した計測データを用いて診断を行う診断機能と、計測データの取得に係わる第１の定義情報、及び診断に係わる第２の定義情報を取得する定義情報取得機能と、定義情報取得手機能により取得した第１、及び第２の定義情報に従って、計測データ取得機能により計測データを取得させ、診断機能により診断を行わせる診断制御機能と、を実現させる。
【発明の効果】
【００１０】
本発明は、計測データの取得に係わる第１の定義情報、及び診断に係わる第２の定義情報を取得し、取得した第１、及び第２の定義情報に従って、計測データを取得し、診断を行う。それにより、取得すべき計測データ、及び診断すべき内容を第１、及び第２の定義情報により指定させる。このため、診断に係わる変更により、取得すべき計測データの変更（追加や削除などを含む）、診断すべき内容の追加や削除、或いはその診断方法の変更などを行うことになっても、診断用のプログラムを変更（アップデート）する必要性は回避される。その結果、診断に係わる変更はより容易、且つ迅速に行えることとなる。
【発明を実施するための最良の形態】
【００１１】
以下、図面を参照しながら、本発明の実施の形態につき詳細に説明する。
図１は、本実施の形態による設備診断装置を用いて構築されたプラント診断システムの構成を示す図である。
【００１２】
その診断システムは、プラントを構成する設備の状態を診断するために構築されたものである。図１に示すように、その診断を行うプラント診断装置１０１に２つの通信ネットワーク１０２、１０３を接続させ、通信ネットワーク１０２にはメールサーバ１０４、通信ネットワーク１０３にはデータ収集装置１０５を複数、更に接続させる形で構築されている。本実施の形態による設備診断装置は、プラント診断装置１０１に搭載される形で実現されている。
【００１３】
上記通信ネットワーク１０２、１０３は、例えばＬＡＮである。一方の通信ネットワーク１０３を介して接続されたデータ収集装置１０５は、状態を監視する設備の状態を示す計測データの収集用に設置されたものであり、各装置１０５には複数のセンサ１０６が接続されている。そのセンサ１０６の種類や数は適宜に選択して良いものである。センサ１０６により状態を示すデータ（物理量）として計測するものは、振動や温度、圧力、或いは音、などである。
【００１４】
プラント診断装置１０１は、データ収集装置１０５に指示して随時、計測データを取得し、それを分析して診断を行い、その診断結果を必要に応じて電子メールの形でメールサーバ１０４に送信する。それにより、診断結果は、メールサーバ１０４を利用して、例えば通信ネットワーク１０２に接続された端末装置（不図示）のユーザである担当者通知するようになっている。
【００１５】
図２は、その診断装置１０１の構成図である。図２に示すように、装置１０１全体の制御を行うＣＰＵ２０１と、例えばＲＡＭといった半導体メモリであるメモリ２０２と、キーボードやマウス等のポインティングデバイス等の入力用デバイスが接続される入力装置２０３と、例えば表示装置が接続される出力装置２０４と、例えばハードディスク装置である外部記憶装置（補助記憶装置）２０５と、ＣＤ−ＲＯＭ、ＤＶＤ、或いは光磁気ディスク等の可搬記録媒体Ｍにアクセスする媒体駆動装置２０６と、通信ネットワーク１０２、１０３を介した通信を行うための２つのネットワーク接続装置２０７、２０８と、各部２０１〜２０８を相互に接続するバス２０９と、を備えて構成されている。
【００１６】
ＣＰＵ２０１は、外部記憶装置２０５に格納されたプログラムを実行することで、例えばネットワーク接続装置２０７を介してデータ収集装置１０５から計測データ（以降「生データ」と呼ぶ）を収集し、それを分析することで得られた診断結果を必要に応じて電子メールの形にまとめ、ネットワーク接続装置２０８を介してメールサーバ１０４に送信する。以降は、そのようにして行う診断について、図３〜図６に示す説明図を参照して詳細に説明する。その診断を行うためのプログラムについては以降、便宜的に「診断プログラム」と呼ぶこととする。
【００１７】
図３は、診断用に用意される各種定義データを説明する図である。
本実施の形態では、図３（ａ）に示す生データ収集定義データ、図３（ｂ）に示す特徴量抽出１定義データ、図３（ｃ）に示す特徴量抽出２定義データ、図３（ｄ）に示す上下限診断定義データ、図３（ｅ）に示すルックアップテーブル診断定義データ、図３（ｆ）に示すファジィ診断定義データ、図３（ｇ）に示す診断番号データ、及び図３（ｈ）に示す診断番号内処理順序テーブル、を用いて診断を行うようにしている。それらのなかで、生データ収集定義データ、診断番号データ、及び診断番号内処理順序テーブルは必須のデータである。
【００１８】
図３（ａ）に示す生データ収集定義データは、データ収集装置１０５から生データを収集するためのデータであり、収集する生データ単位に用意される。それに表記した「スキャンタイム」は生データのサンプリング時間、「収集レンジ」はデータ値（単位）の範囲を示すデータをそれぞれ表している。「ディレイタイム」はサンプリング間隔を指定するデータを表している。そのタイムは必要に応じて指定するようになっている。
【００１９】
データ収集装置１０５、及びそれに接続されたセンサ１０６が共に複数、存在していれば、生データ収集定義データは、例えばデータ収集装置１０５、及び生データの収集に用いられるセンサ１０６を指定するデータと関連付けて格納される。それにより、診断に必要な生データを、収集すべきデータ収集装置１０５から適切に収集できるようにさせている。
【００２０】
診断に用いることができる生データを直接、収集できるとは限らない。その生データが診断の際に着目すべき特徴量を表しているとも限らない。このようなことから、必要に応じて、生データを加工するか、或いはそれから特徴量を抽出しなければならない。図３（ｂ）、及び（ｃ）に示す特徴量抽出１定義データ、及び特徴量抽出２定義データは、そのようなことから用意されるデータである。
【００２１】
特徴量抽出１定義データは、入力インデックスで指定されたデータを用いて所定の処理を行わせ、その結果を出力インデックスで指定されたデータとして出力させるための設定データである。同様に、特徴量抽出２定義データは、入力１インデックス、及び入力２インデックスで指定されたデータを用いて所定の処理を行わせ、その結果を出力インデックスで指定されたデータとして出力させるための設定データである。
【００２２】
それらの定義データにより実行させる処理の内容は、その処理に用いるデータ、或いは行う診断の内容に応じて変更させる必要がある。このため、実際には、実行させる処理の内容を指定するデータも併せて格納される。
【００２３】
図３（ｄ）〜（ｆ）に示す上下限診断定義データ、ルックアップテーブル診断定義データ、及びファジィ診断定義データは共に、診断を行うための設定データである。それらの定義データでは、以下のように診断が行われる。
【００２４】
上下限診断定義データは、入力インデックスで指定されたデータの値が、指定された下限値、下々限値、下々々限値、上限値、上々限値、及び上々々限値で区切られる範囲のうちの何れの範囲内に存在するか特定し、その特定結果を出力インデックスで指定されたデータとして出力させるための設定データである。その特定結果が診断結果である。
【００２５】
「警報通知レベル」は、診断結果に応じて警報を行うか否か、及びその警報を行う状態（診断結果）を指定するためのデータであり、「警報メッセージ」は、その警報として通知するメッセージである。本実施の形態では、その警報メッセージを電子メールで送信することにより、通知すべき重要性が比較的に高い診断結果を通知するようにしている。その電子メールの送信は、警報通知レベルが−１でない場合に有効とさせている。
【００２６】
上記警告メッセージは、診断結果（状態）に応じて通知すべき内容を異ならせる場合には、複数、格納される。範囲を限定する下限値や上限値の数は任意に変更できるようになっている。これは、他の診断定義データにおいても同様である。
【００２７】
ルックアップテーブル診断定義データは、入力１インデックス、及び入力２インデックスで指定されたデータを用いてルックアップテーブルを参照し、それらのデータによって指定されるテーブル中のデータの値を出力インデックスで指定されたデータ（診断結果）として出力させるための設定データである。また、そのテーブル中の値が、指定された下限値、上限値で区切られる範囲のうちの何れの範囲内に存在するか特定し、その特定結果に応じて警報メッセージを電子メールで送信することも併せて行う。
【００２８】
ファジィ診断定義データは、入力インデックス（ここでは入力１〜８インデックスの計８個である）で指定されたデータを用いてファジィ演算を行い、その演算結果を出力インデックスで指定されたデータ（診断結果）として出力させるための設定データである。また、その演算結果が、指定された上限値、上々限値、及び上々々限値で区切られる範囲のうちの何れの範囲内に存在するか特定し、その特定結果に応じて警報メッセージを電子メールで送信することも併せて行う。
【００２９】
ルックアップテーブルやファジィ演算は、入力インデックスで指定するデータや診断内容などに応じて適切なものを用意する必要がある。このことから、ルックアップテーブル診断定義データ、及びファジィ診断定義データでは、実際には、参照するテーブル、及び用いるファジィ演算を指定するデータも併せて格納される。
【００３０】
診断番号内処理順序テーブルは、図３（ｂ）〜（ｆ）に示す定義データのなかで診断に使うものを使う順序、つまり診断を行う流れを指定するためのものである。図３（ｈ）に示すデータは、そのテーブルを構成する１レコードのデータを示したものである。
【００３１】
図３（ｂ）〜（ｆ）に示す定義データは、特徴量抽出用と診断用とに大別され、それらのなかで更に種類が区別される。「処理種別」は、定義データの種類を指定するデータであり、「処理種別内番号」は、そのデータで指定された処理種別のなかで実際に処理する定義データを指定するデータである（図６参照）。「次実行ＮＯ．」は、診断番号内処理順序テーブル内で次に処理すべきデータを格納したレコードを指定するデータである。そのレコードが存在しない場合、値として「−１」を格納するようになっている。
【００３２】
そのような機能を割り当てた値を次実行ＮＯ．として格納できるようにしたことで、診断番号内処理順序テーブルは、診断の全体の流れを複数の部分に区切って記述することができるようにしている。例えば特徴量抽出に係わる処理を診断に係わる処理と区別して記述したり、診断単位で特徴量抽出や診断に係わる処理を区別して記述するといったことができるようにしている。そのように診断の全体の流れを複数の部分（以降、その部分を「部分処理順序」と呼ぶ）に区切って記述できることから、その部分の処理の実行は図３（ｇ）に示す診断番号データで管理するようにさせている。その診断番号データとして格納される「診断番号内処理順序テーブル内番号」は、診断番号内処理順序テーブルを構成するレコードを指定するデータ（レコード番号（ＮＯ．））である。
【００３３】
図３中の入力インデックス（入力１インデックス等を含む）は、生データ、或いは図３（ｂ）或いは（ｃ）等に示す定義データにより特徴量として抽出される出力インデックスである。本実施の形態では、図４に示すように、それらのデータはメモリ２０２、或いは外部記憶装置２０５に保存する収集データ格納ファイルに格納し、その格納ファイルに格納されるデータへのアクセスは、そのデータの位置を示すデータ（ポインタ）をまとめた収集データインデックスファイルを生成して行うようにしている。
【００３４】
図３（ｂ）〜（ｆ）に示す各定義データでは、生データ、或いは他の定義データにより出力インデックスとして出力されるデータを入力インデックスとして指定できるようにする必要がある。その指定は、例えば生データや出力インデックスにそれを一義的に特定できるシンボルを割り当て、そのシンボルを入力インデックスとするデータとして記述させることで実現させることができる。そのようにする場合、図３（ａ）に示す生データ収集定義データを構成するデータとして、それにより収集される生データを示すシンボルを併せて格納するか、そのシンボルと生データ収集定義データとの対応付けが行われる。
【００３５】
そのようにしてインデックスとデータの関係を一義的に特定できるようにすることで、図５に示すように、収集データインデックスファイルを参照して収集データ格納ファイルへのデータの格納（ライト）、そのデータの読み出し（リード）が行われる。収集データ格納ファイルにデータが１アドレスに格納される場合、収集データインデックスファイルにはポインタとしてアドレス値（相対アドレス値）が格納される。
【００３６】
上記診断プログラムは、図３（ａ）〜（ｈ）に示す各種定義データを取得し、それに従って診断を行う。より具体的には、各種定義データを取得した後、生データ収集定義データで指定された生データをデータ収集装置１０５から収集し、診断番号内処理順序テーブルに分けて（論理的に分けて）定義（記述）された部分処理順序を、診断番号データにより指定される順序に従って処理、つまりその部分処理順序で定義された流れで定義データにより設定される処理を実行することにより診断を行う。その各種定義データの取得は、診断プログラムに直接的に入力させることで行わせても良いが、その格納先を指定させることで行わせるようにしても良い。
【００３７】
このように、本実施の形態では、診断プログラムは各種定義データを取得し、それに沿って診断を行うようになっている。このため、収集する生データの変更や抽出する特徴量の変更、診断する内容の変更、及びその診断方法の変更などは対応する定義データの変更、追加、或いは削除によって行えるようになっている。それにより、そのような診断に係わる変更を行う際に、定義データの変更、追加、或いは削除などと比較して長い時間を要する面倒な診断プログラムの変更（アップデート）を行う必要性は回避される。この結果、診断に係わる変更を容易、且つ迅速に行えることとなる。
【００３８】
図６は、診断に係わる変更に合わせた定義データの更新の仕方を説明する図である。
更新前の診断番号内処理順序テーブルは、図中「診断１」と表記の診断番号データにより、「特徴量抽出１  ｉ＝０」（「特徴量抽出１」は処理種別を表し、「ｉ＝０」は処理種別内番号を表している。これは他においても同様）と表記のレコードによる特徴量抽出（図３（ｂ）に示すような定義データに従った特徴量抽出）  →  「上下診断  ｉ＝０」と表記のレコードによる上下限診断（図３（ｄ）に示すような診断定義データに従った診断）、を最初に行い、それ以降は、「診断２」と表記の診断番号データにより、「特徴量抽出１  ｉ＝１」と表記のレコードによる特徴量抽出  →  「ファジィ診断  ｉ＝０」と表記のレコードによるファジィ診断（図３（ｆ）に示すような診断定義データに従った診断）、「診断３」と表記の診断番号データにより、「特徴量抽出２  ｉ＝０」と表記のレコードによる特徴量抽出（図３（ｃ）に示すような定義データに従った特徴量抽出）  →  「特徴量抽出２  ｉ＝１」と表記のレコードによる特徴量抽出  →  「ルックアップｉ＝０」と表記のレコードによるルックアップテーブルによる診断（図３（ｅ）に示すような診断定義データに従った診断）、「診断４」と表記の診断番号データにより、「上下診断  ｉ＝１」と表記のレコードによる上下限診断、をその順序で順次、行うような内容である。ここでは、「上下診断  ｉ＝０」と表記の上下限診断を２次元のルックアップテーブルによる診断に変更する場合を例にとって更新の仕方を説明している。
【００３９】
「診断４」と表記の診断番号データで指定される「上下診断  ｉ＝１」と表記の診断番号内処理順序テーブル中のレコードでは、その次に処理すべきレコードが存在しない。このため、そのレコード中の次実行ＮＯ．の値は−１となっている。これは、他の診断番号データにより最後に処理されるレコードにおいても同様である。
【００４０】
更新前の診断番号内処理順序テーブルから矢印で示す位置に配置した更新後の診断番号内処理順序テーブルでは、２次元のルックアップテーブルによる診断を行うために、「上下診断  ｉ＝０」と表記のレコードを「特徴量抽出１  ｉ＝２」と表記のレコードに変更し、「上下診断  ｉ＝１」と表記のレコードの次に「ルックアップ  ｉ＝１」と表記のレコードを追加している。「診断１」と表記の診断番号データにより、「特徴量抽出１  ｉ＝０」と表記の特徴量抽出に続けて、「特徴量抽出１  ｉ＝２」と表記のレコードによる特徴量抽出  →「ルックアップ  ｉ＝１」と表記のレコードによるルックアップテーブルによる診断、を行うようにさせている。それにより、診断番号内処理順序テーブルを更新するのみで、「上下診断  ｉ＝０」と表記の上下限診断を２次元のルックアップテーブルによる診断に変更させている。このように、診断に係わる変更は、診断番号内処理順序テーブルのみを更新するか、或いはそれと併せて診断番号データの追加、若しくは削除によって行うことができる。このことからも明らかなように、その変更に柔軟に対応することができる。
【００４１】
本実施の形態では、図３に示すように、診断番号内処理順序テーブル中のレコードで指定される定義データは特徴量抽出用と診断用とに大別している。そのように分けると、定義データのデータ量はより少なくでき、その組み合わせで行える診断数はより多くすることができる。診断に係る変更に併せてそれら定義データを変更する必要性が生じる確率は低減させることができる。そのような理由によって、定義データを変更することなく、より柔軟に対応できるようになる。定義データとして多くの種類を用意したのはこのような効果が得られるためである。
【００４２】
図７は、診断処理のフローチャートである。次に図７を参照して、図３に示す各種定義データを用いて行われる診断について詳細に説明する。その診断処理は、例えば予め定められた周期で実行されるものである。例えばＣＰＵ２０１が、外部記憶装置２０５に格納された診断プログラムを読み出して実行することで実現される。
【００４３】
先ず、ステップＳ１では、図３に示すような各種定義データを取得し、収集データインデックスファイルを作成する。その作成は、例えば図３（ａ）〜（ｆ）に示すような定義データのなかにインデックスを表すデータとして出現するシンボル毎に、その収集データインデックスファイル中の格納場所を割り当て、その割り当てた格納場所を示すポインタ（例えばアドレス値）を収集データ格納ファイルにまとめることで行われる。各種定義データは、外部記憶装置２０５、或いは記録媒体Ｍから取得しても良いが、通信ネットワーク１０２、或いは１０３を介して外部装置から取得しても良い。
【００４４】
ステップＳ１に続くステップＳ２では、取得した生データ収集定義データを対応するデータ収集装置１０５に送信することにより、生データをデータ収集装置１０５から収集し、収集データインデックスファイルを参照して、収集データ格納ファイルに格納する。その後はステップＳ３に移行する。
【００４５】
ステップＳ３以降では、注目する診断番号データを順次、変更しながら、そのデータで指定される診断番号内処理順序テーブル中のレコードで指定される定義データに従った特徴量の抽出、或いは診断を行うための処理が実行される。
【００４６】
先ず、ステップＳ３では、診断番号データ登録数分ループ、つまり取得した診断番号データを全て処理したか否か判定する。その全てを処理していない場合、判定はＮＯとなってステップＳ４に移行し、そうでない場合には、判定はＹＥＳとなり、ここで一連の処理を終了する。
【００４７】
ステップＳ４では、注目する診断番号データが指定するレコードで指定される処理、つまり処理種別、及び処理種別内番号により特定される定義データに従った処理を実行する。次のステップＳ５では、その定義データ中の警報通知レベルが警報通知を指定するもの、つまりその値が−１であり、且つその処理の実行による診断結果が警報すべきものであったか否か判定する。警報通知レベルの値が−１の診断定義データによる診断処理をステップＳ４で実行した結果、設備が警報メッセージを送信すべき状態であることを確認できた場合、判定はＹＥＳとなってステップＳ６に移行する。そうでない場合、つまりステップＳ４での処理が診断定義データによるものでない、診断定義データであっても警報通知レベルが−１でない、或いは設備が警報メッセージを送信すべき状態でない場合、判定はＮＯとなってステップＳ８に移行する。
【００４８】
ステップＳ６では、前回、同じ診断定義データによる診断処理を実行した際も設備が警報メッセージを送信すべき状態であったか否か判定する。その状態が継続していた場合、判定はＹＥＳとなってステップＳ８に移行する。そうでない場合には、判定はＮＯとなり、ステップＳ７において、診断定義データ中の警報メッセージを本文に挿入した電子メールを作成してメールサーバ１０４に送信した後、そのステップＳ８に移行する。
【００４９】
ステップＳ８では、定義データを指定する、診断番号内処理順序テーブル中のレコードに格納された次実行ＮＯ．の値が−１か否か判定する。その値が−１であった場合、判定はＹＥＳとなって上記ステップＳ３に戻る。そうでない場合には、判定はＮＯとなって上記ステップＳ４に戻る。それにより、次実行ＮＯ．の値として−１が格納されたレコードに対応する処理を実行するまで、ステップＳ４〜Ｓ８で形成される処理ループを繰り返し実行する。その結果、診断番号データに従って、診断番号内処理順序テーブル中のレコードの処理を進行させることとなる。
【００５０】
なお、本実施の形態による設備診断装置は、プラント診断装置１０１に本発明を適用することで１台のデータ処理装置によって実現されているが、複数台のデータ処理装置によって実現させても良い。特徴量抽出用、及び診断用の各定義データの構成や用意する種類などについては、適宜、変更して良いものである。
【００５１】
その動作を実現させるような診断プログラムについては、ＣＤ−ＲＯＭ、フレキシブルディスク、或いは光磁気ディスク等の記録媒体に記録させて配布しても良い。或いは、公衆網等で用いられる伝送媒体を介して、そのプログラムの一部、若しくは全部を配信するようにしても良い。何れにしても、ユーザはプログラムを取得してパーソナルコンピュータ等のデータ処理装置にインストールすることにより、そのデータ処理装置に本発明を適用させることができる。このことから、記録媒体は、プログラムを配信できる装置がアクセスできるものであっても良い。
【図面の簡単な説明】
【００５２】
【図１】本実施の形態による設備診断装置を用いて構築されたプラント診断システムの構成を示す図である。
【図２】本実施の形態による設備診断装置を搭載したプラント診断装置の構成図である。
【図３】診断用に用意される各種定義データを説明する図である。
【図４】診断用のデータの管理方法を説明する図である。
【図５】診断用のデータのアクセス方法を説明する図である。
【図６】診断に係わる変更に合わせた定義データの更新の仕方を説明する図である。
【図７】診断処理のフローチャートである。
【符号の説明】
【００５３】
１０１    プラント診断装置
１０２、１０３    通信ネットワーク
１０４    メールサーバ
１０５    データ収集装置
１０６    センサ
２０１    ＣＰＵ
２０２    メモリ
２０３    入力装置
２０４    出力装置
２０５    外部記憶装置
２０７、２０８    ネットワーク接続装置
【図１】
2005141550.tif 000003
【図２】
2005141550.tif 000004
【図３】
2005141550.tif 000005
【図４】
2005141550.tif 000006
【図５】
2005141550.tif 000007
【図６】
2005141550.tif 000008
【図７】
2005141550.tif 000009